(57)【要約】【課題】  安全性が向上し且つ見栄えが改善されるテーブルタップを提供する。【解決手段】  栓刃挿入口１１が前面に開口し電源線Ｃが内部に導入されたハウジング１を備える。ハウジング１の後面に沿った方向に開放された凹部１３をハウジング１の後面に設けるとともに、電源線Ｃを介して流入したサージ電流を大地に逃がすための接地線が接続される接地線接続端子２を、凹部１３の内側に配置した。接地線接続端子２をハウジング１の前面や側面に設ける場合や、凹部１３を設けない場合に比べ、使用者が接地線接続端子２に接触しにくくなるから安全性が向上し、且つ見栄えが改善される。また、接地線接続端子２や接地線は凹部１３に収納されるから、ハウジング１が設置面から浮き上がることがなく、ハウジング１の姿勢が安定する。【選択図】図１
2005100857.tif 000002
【特許請求の範囲】
【請求項１】
栓刃挿入口が前面に開口し電源線が内部に導入されたハウジングと、導電材料からなり栓刃挿入口に挿入された栓刃に接触導通するようにハウジング内に収納され電源線に電気的に接続された刃受け部と、接地線が接続される接地線接続端子と、電源線と接地線接続端子とに電気的に接続され電源線からサージ電流が流入したときに刃受け部へのサージ電流を低減するサージ保護素子とを備え、ハウジングの後面に沿った方向に開放された凹部をハウジングの後面に設けるとともに、接地線接続端子を該凹部の内側に配置したことを特徴とするテーブルタップ。
【請求項２】
接地線接続端子を開閉自在に覆う保護カバーを備えることを特徴とする請求項１記載のテーブルタップ。
【請求項３】
ハウジングに着脱自在に結合するとともに施工面に取り付けられる取付部材を備え、ハウジングは、刃受け部が収納され栓刃挿入口が設けられた内ハウジングと、内ハウジングを栓刃挿入口が露出する形で収納する外ハウジングとを有し、外ハウジングは、後側の内面から前方へ突出し内ハウジングの後面に当接するとともに中空であって外ハウジングの後面に開口した台座部を有し、取付部材は結合凸部を有するとともに結合凸部が台座部の内面に嵌合することによってハウジングに結合することを特徴とする請求項１記載のテーブルタップ。
【請求項４】
サージ保護素子が実装されたプリント配線板を、ハウジング内の電源線が導入された部位の近傍に配置したことを特徴とする請求項１記載のテーブルタップ。
【発明の詳細な説明】
【技術分野】
【０００１】
本発明は、接続された機器を雷サージから保護することができるテーブルタップに関するものである。
【背景技術】
【０００２】
従来から、電源線を通じて流入した誘導雷などの雷サージから、接続された機器を保護する保護機能付きのテーブルタップが提供されている（例えば、特許文献１参照）。
【０００３】
この種のテーブルタップとして、図１１に示すように、前面に栓刃挿入口１１が設けられたハウジング１の側面に接地線接続端子２を設けるとともに、接地線接続端子２に接続された接地線（図示せず）を介して雷サージによるサージ電流を大地へ逃がようにしたものが提供されている。
【特許文献１】特開２０００−３７０３５号公報（第３−４頁、第１図）
【発明の開示】
【発明が解決しようとする課題】
【０００４】
ここで、この種のテーブルタップは、一般にハウジング１の後面を床面などの設置面に向けて設置した状態で使用される。図１１に示す上記従来例では、上述した一般的な使用状態で露出する位置に接地線接続端子２を設けていたため、見栄えが悪かった。さらに、接地線接続端子２には大電流が流れることがあるので、上述のように一般的な使用状態で露出するために使用者が接触する可能性が比較的に高い位置に接地線接続端子２を設けることは安全上好ましくない。
【０００５】
本発明は上記事由に鑑みて為されたものであり、その目的は、安全性が向上し且つ見栄えが改善されるテーブルタップを提供することにある。
【課題を解決するための手段】
【０００６】
請求項１の発明は、栓刃挿入口が前面に開口し電源線が内部に導入されたハウジングと、導電材料からなり栓刃挿入口に挿入された栓刃に接触導通するようにハウジング内に収納され電源線に電気的に接続された刃受け部と、接地線が接続される接地線接続端子と、電源線と接地線接続端子とに電気的に接続され電源線からサージ電流が流入したときに刃受け部へのサージ電流を低減するサージ保護素子とを備え、ハウジングの後面に沿った方向に開放された凹部をハウジングの後面に設けるとともに、接地線接続端子を該凹部の内側に配置したことを特徴とする。
【０００７】
この構成によれば、一般的な使用状態では床面等の設置面へ向けられるハウジングの後面に接地線接続端子を設けたので、ハウジングの前面や側面に設ける場合に比べ、使用者が接地線接続端子に接触しにくくなるから安全性が向上し、且つ見栄えが改善される。また、接地線接続端子を凹部の内側に配置したので、さらに使用者が接触しにくくなって安全性が向上する上に、接地線接続端子によってハウジングが設置面から浮き上がることがない。また、凹部はハウジングの後面に沿った方向に開放されているので、接地線を凹部を通じて引き出すことができるから、接地線によってハウジングが設置面から浮き上がることもない。
【０００８】
請求項２の発明は、請求項１の発明において、接地線接続端子を開閉自在に覆う保護カバーを備えることを特徴とする。
【０００９】
この構成によれば、接地線接続端子への接触がカバーによって防止されるから、保護カバーを設けない場合に比べて安全性がより向上する。
【００１０】
請求項３の発明は、請求項１の発明において、ハウジングに着脱自在に結合するとともに施工面に取り付けられる取付部材を備え、ハウジングは、刃受け部が収納され栓刃挿入口が設けられた内ハウジングと、内ハウジングを栓刃挿入口が露出する形で収納する外ハウジングとを有し、外ハウジングは、後側の内面から前方へ突出し内ハウジングの後面に当接するとともに中空であって外ハウジングの後面に開口した台座部を有し、取付部材は結合凸部を有するとともに結合凸部が台座部の内面に嵌合することによってハウジングに結合することを特徴とする。
【００１１】
この構成によれば、ハウジングが内ハウジングと外ハウジングとを有するので、例えば異なる形状の外ハウジングに対して内ハウジングを共用として製造コストを低減したり、内ハウジングの材料に熱硬化性樹脂を用いて耐久性を向上しながらも外ハウジングの材料に熱可塑性樹脂を用いてデザインの自由度を向上することができる。また、取付部材を介した施工面への取り付けが可能となる。さらに、台座部を取付部材を取り付けるためにも用いるから、取付部材を取り付けるための構造を別途に設ける場合に比べ、外ハウジングの構造を単純化して製造コストを低減することができる。
【００１２】
請求項４の発明は、請求項１の発明において、サージ保護素子が実装されたプリント配線板を、ハウジング内の電源線が導入された部位の近傍に配置したことを特徴とする。
【００１３】
この構成によれば、プリント配線板を例えばハウジング内の電源線が導入された部位から離れた側の端部に配置する場合に比べ、電源線のとり回しのためにハウジング内に生じる空間を有効に利用することができるから、小型化が可能となる。また、電源線の先が壁コンセント等に接続され固定された状態でハウジングが電源線の張力によって振り子状に運動して机や床などに衝突したときにプリント配線板が受ける衝撃も小さくなるから、耐衝撃性も向上する。
【発明の効果】
【００１４】
本発明は、前面に栓刃挿入口が開口したハウジングの後面に設けた凹部の内側に接地線接続端子を配置したので、ハウジングの前面や側面に設ける場合に比べ、使用者が接地線接続端子に接触しにくくなるから安全性が向上し、且つ見栄えが改善される。また、接地線接続端子を凹部の内側に配置したので、さらに使用者が接触しにくくなって安全性が向上する上に、接地線接続端子によってハウジングが設置面から浮き上がることがない。また、凹部はハウジングの後面に沿った方向に開放されているので、接地線を凹部を通じて引き出すことができるから、接地線によってハウジングが設置面から浮き上がることもない。
【発明を実施するための最良の形態】
【００１５】
以下、本発明を実施するための最良の形態について、図面を参照しながら説明する。
【００１６】
本実施形態は、図１及び図２に示すように、略直方体形状に形成され長手方向に沿った一面（以下、「前面」と呼ぶ。）に６組の栓刃挿入口１１が開口したハウジング１を備える。ハウジング１の長手方向の一端にはブッシング７を介して電源線Ｃが挿通される。また、本実施形態は、電話回線の途中に挿入されることにより、電話回線を介して流入したサージ電流を阻止する機能を有しており、ハウジング１の長手方向の他端には、それぞれ入力側又は出力側のモジュラプラグが挿入される２個のプラグ挿入口１２を設けている。ハウジング１の後面には、ハウジング１の短手方向の両側に連通した凹部１３を設け、凹部１３の内側には、サージ電流をアースに逃がすための接地線（図示せず）が接続される接地線接続端子２を設けている。接地線接続端子２に接続された接地線は、凹部１３を通じてハウジング１の短手方向へ引き出される。ここで、凹部１３の幅寸法及び深さ寸法は、接地線接続端子２に接地線が接続された状態で接地線接続端子２や接地線がハウジング１の後面よりも後方へ突出しない程度に大きく形成してある。
【００１７】
以下、本実施形態の各部について詳しく説明する。ハウジング１は、直方体形状であって前面に栓刃挿入口１１が設けられた内ハウジング３（図４参照）と、直方体形状であって栓刃挿入口１１を露出させる貫通孔４１が前面に設けられ内ハウジング３を収納する外ハウジング４とを備える。図３に示すように、内ハウジング３は、後面が開放された直方体形状であって前面に栓刃挿入口１１が設けられた内カバー３ａと、前面が開放された直方体形状であって内カバー３ａの後側に結合する内ボディ３ｂとからなる。外ハウジング４は、後面が開放された直方体形状であって貫通穴４１が前面に貫設された外カバー４ａと、前面が開放された直方体形状であって外カバー４ａの後側に結合する外ボディ４ｂとからなる。外カバー４ａと外ボディ４ｂとは、例えばそれぞれ外ボディ４ｂに前後に貫設されたねじ挿通穴４６を貫通して外カバー４ａに螺合する５本の組立ねじＳによって結合している。このようにハウジング１を内ハウジング３と外ハウジング４とから構成することにより、例えば異なる形状の外ハウジング４に対して内ハウジング３を共用として製造コストを低減したり、内ハウジング３の材料に熱硬化性樹脂を用いて耐久性を向上しながらも外ハウジング４の材料に熱可塑性樹脂を用いてデザインの自由度を向上することができる。
【００１８】
内カバー３ａの前面の各栓刃挿入口１１の周囲にはそれぞれ前方へ突出した突出部３２を設けてあり、外カバー４ａの貫通孔４１は前方から見て突出部３２と略同形状に形成してある。外ボディ４ｂと外カバー４ａとが結合した状態では、内カバー３ａの突出部３２が外カバー４ａの貫通孔４１に挿入される。また、内ハウジング３の前面の長手方向の両端付近には、それぞれ短手方向の両端に凹部３３（図４参照）を設けてある。また、外ボディ４ｂの内底面には、内ハウジング３の凹部３３が設けられた部位を短手方向の両側から挟むように４個の組立片４２を突設している。組立片４２の先部には、内ハウジング３の凹部３３に係合する係合爪４２ａを突設してあり、係合爪４２ａと凹部３３との係合によって内ハウジング３は外ボディ４ｂに保持される。
【００１９】
外ハウジング４には、内ハウジング３のほかに、それぞれプラグ挿入口１２から挿入されたモジュラプラグ（図示せず）が接続される２個のモジュラジャックＭＪ１，ＭＪ２と、後述するサージ保護素子を含む回路部品とが実装されたプリント配線板Ｐが、長手方向のプラグ挿入口１２側の端部に収納されている。
【００２０】
内ハウジング３には、それぞれ電源プラグの一方の栓刃に接触導通する６個の刃受け５１を一体に形成した２個の刃受けブロック５ａ，５ｂからなる刃受け部５が収納されている。各刃受け５１はそれぞれ略逆Ω形状に形成されて両端部を互いに近付ける方向のばね性を有し、両端部が電源プラグの栓刃の互いに反対側の面から弾接するようになっている。各刃受けブロック５ａ，５ｂの両端部にはそれぞれ内ハウジング３の長手方向の端から突出する端子部５２，５３を設けてある。一方の端子部５２は電源線Ｃに接続され、他方の端子部５３はリードＬ１を介してプリント配線板Ｐに電気的に接続される。また、内ボディ３ｂには、内底面の短手方向の中間部から前方へ長手方向の全長に亙って突設され刃受けブロック５ａ，５ｂ間を絶縁する仕切り部３１を設けている。
【００２１】
接地線接続端子２は、外ボディに固定される端子板２１と、端子板２１に設けられたねじ穴２１ａに螺合して接地線を頭部と端子板２１との間に挟持する端子ねじ２２とからなる。端子板２１は、矩形平板状であって前記ねじ穴２１ａが厚み方向に貫設された中央片２１ｂと、中央片２１ｂの互いに対向する２辺から延設された側片２１ｃと、中央片２１ｂの他の一辺から延設された接続片２１ｄとを有する。各側片２１ｃにはそれぞれ結合穴２１ｅを貫設してあり、外ボディ４ｂの内底面に突設された２個の結合突起４１がそれぞれ結合穴２１ｅに例えば圧入されることにより、端子板２１は外ボディ４ｂに結合している。外ボディ４ｂの結合突起４１の間には、中央片２１ｂをハウジング１の後側に露出させる露出穴４５を前後に貫設してある。接続片２１ｄには、一端がプリント配線板Ｐに接続されたリードＬ２の他端が接続される。
【００２２】
ブッシング７は、全体として筒状であって、一端の全周に亙って矩形状の鍔部７１が設けられている。外ボディ４ｂの電源線Ｃが導入される部位の近傍には、鍔部７１の周縁部を外ボディ４ｂの内面との間に挟持するブッシング保持部４４を設けてある。
【００２３】
ところで、外ボディ４ｂの内底面には、それぞれ組立爪４２ａと凹部３３とが係合する位置で図５に示すように内ハウジング３の後面に当接する８個の台座部４３が突設されている。台座部４３は、外ハウジングの長手方向に並べて４個ずつ、外ハウジングの短手方向に並べて２列に配置されている。
【００２４】
ここで、本実施形態は、図６に示す取付部材６を介して壁面等の施工面に取り付けることができるようになっている。取付部材６は、施工面に取り付けた金具（図示せず）を引っ掛けるダルマ穴６１と、施工面へのねじ止めのためのねじ（図示せず）が挿通されるねじ挿通穴６２とを有する。取付部材６は結合凸部６３を有し、ハウジング１の後面の台座部４３の後側には、それぞれ台座部４３を中空として取付部材６の結合凸部６３が嵌合する貫通穴４３ａが貫設されている。結合凸部６３と貫通穴４３ａとが嵌合し、例えば結合凸部の側面に突設された凸部と貫通穴４３ａの内面に設けられた凹部との係合によって抜け止めがなされることにより、取付部材６はハウジング１の後面に取り付けられる。１個の取付部材６は２個ずつ２列に並んだ計４個の結合凸部６３を有し、ハウジング１の長手方向に並べて２個の取付部材６を取り付けることができるようになっている。この構成によれば、予め取付部材６を施工面に取り付けてからハウジング１を取付部材６に結合させることにより、ハウジング１を容易に施工面に取り付けることができる。また、取付部材６を取り付けるための構造を台座部４３と別途に設ける場合に比べ、外ハウジング４の構造を単純化して製造コストを低減することができる。
【００２５】
次に、図７を用いて本実施形態の回路及び動作を説明する。本実施形態は、交流電源ＡＣに対して刃受ばね５に並列に接続された２個のサージアブソーバＺ１，Ｚ２の直列回路を有する。２個のサージアブソーバＺ１，Ｚ２の間は接地線接続端子２を介して接地され、電源線Ｃを通じて流入したサージ電流はサージアブソーバＺ１，Ｚ２を介して大地に逃がされるようになっている。つまり、サージアブソーバＺ１，Ｚ２がサージ保護素子である。また、２個のヒューズＨ１，Ｈ２がそれぞれサージアブソーバＺ１，Ｚ２に直列に接続されており、サージアブソーバＺ１，Ｚ２の寿命によって短絡が発生した場合はヒューズＨ１，Ｈ２が切れてサージアブソーバＺ１，Ｚ２が切り離されるようになっている。さらに、電流制限用の抵抗Ｒと、ダイオードＤと、発光ダイオードＬＥＤとの直列回路が、サージアブソーバＺ１，Ｚ２の直列回路に並列に接続されている。発光ダイオードＬＥＤは、交流電源ＡＣから給電を受けて点灯し、サージアブソーバＺ１，Ｚ２の寿命による短絡に伴ってヒューズＨ１，Ｈ２が切れたときに消灯する。これにより、サージアブソーバＺ１，Ｚ２の寿命がわかるようになっている。サージアブソーバＺ１，Ｚ２と、ヒューズＨ１，Ｈ２と、抵抗Ｒと、ダイオードＤと、発光ダイオードＬＥＤとはそれぞれプリント配線板Ｐに実装されている。外カバー４ａには、発光ダイオードＬＥＤの点灯を視認可能とするための窓孔１４が貫設してある。
【００２６】
また、電話回線を流れるサージ電流を２個のモジュラジャックＭＪ１，ＭＪ２の間で阻止するための例えばガスアレスタのようなアレスタＧを、モジュラジャックＭＪ１，ＭＪ２に並列に接続するとともに接地線接続端子２を介して接地してある。電話回線を通じて流入したサージ電流は、アレスタＧを通じて大地に逃がされる。
【００２７】
上記構成によれば、ハウジング１の外面のうち、通常の使用状態では床面などの設置面に向けられる後面に接地線接続端子２を設けたことにより、接地線接続端子２をハウジング１の前面や側面に設けた場合に比べ、使用者が接地線接続端子２に接触しにくくなるから安全性が向上し、且つ見栄えが改善される。また、ハウジング１の後面に設けた凹部１３の内側に接地線接続端子２を配置したので、凹部１３を設けない場合に比べてさらに接地線接続端子２に接触しにくくなることにより安全性が向上する。ここで、凹部１３を設けずに単に接地線接続端子２をハウジング１の後面に設けた場合、ハウジング１の後面を床面などの設置面に向けて設置したときに接地線接続端子２や接地線によってハウジング１が設置面から浮き上がってしまい、ハウジング１の姿勢が安定せずに使い勝手が悪化する。一方、本実施形態においては接地線接続端子２は凹部１３に収納され、接地線は凹部１３を通じて引き出されるので、接地線接続端子２や接地線によってハウジング１が設置面から浮き上がることがなく、ハウジング１の姿勢が安定するから、使い勝手が悪化することがない。
【００２８】
なお、図８に示すように、ハウジング１の後側に着脱自在に取り付けられて接地線接続端子２を覆う保護カバー８を設けてもよい。例えば、保護カバー８は、図８（ｂ）に示すように矩形平板状の本体部８１と、本体部８１の４隅付近にそれぞれ本体部８１の厚み方向へ突設された結合爪８２とを有する形状とし、ハウジング１の後面には結合爪８２が係脱自在に係合する結合穴１５を設ける。この構成によれば、使用者がより接地線接続端子２に接触しにくくなるから、安全性がより向上する。さらに、本体部８１を収納するカバー収納凹部１６をハウジング１の後面に設ければ、図８（ａ）に示すように保護カバー８がハウジング１から突出しないことにより見栄えが良くなる。
【００２９】
また、上述した構成では図９（ａ）に示すようにプリント配線板Ｐをハウジング１の電源線Ｃが導入される部位から離れた側の端部に配置したが、図９（ｂ）に示すように、ハウジング１の電源線Ｃが導入される部位の近傍にプリント配線板Ｐを配置してもよい。この場合、プラグ挿入口１２は、例えば図１０に示すようにハウジング１の短手方向の両端面に設ける。この構成によれば、ハウジング１内での電源線Ｃのとり回しのための空間を有効に利用することができるから、小型化が可能となる。例えば、図９（ｂ）に示す上記構成を採用した例は、図９（ａ）に示す上記構成を採用していない例よりも、ハウジング１の長手方向の寸法が小さくなっている。ところで、例えば設置面が机のような台の上であって、ハウジング１から導出された電源線Ｃの先が設置面よりも高い位置の壁コンセント等に接続されているときに、ハウジング１が設置面から落下すると、ハウジング１が、電源線Ｃの張力によって振り子状の運動をして前記台に衝突したり、電源線Ｃが導入される端部側（図９（ａ）（ｂ）での右側）を上にして床面に衝突したりする場合があるが、このような場合にプリント配線板Ｐ上の回路部品が受ける衝撃も、図９（ｂ）に示す例のほうが図９（ａ）に示す例よりも小さくなる。つまり、図９（ｂ）に示す例は図９（ａ）に示す例よりも耐衝撃性が向上している。なお、プラグ挿入口１２はハウジング１の前面に設けてもよい。
【図面の簡単な説明】
【００３０】
【図１】本発明の実施形態１を示す斜視図であり、（ａ）は前面側、（ｂ）は後面側を示す。
【図２】同上を示す図であり、（ａ）は平面図、（ｂ）は右側面図、（ｃ）は下面図、（ｄ）は正面図である。
【図３】同上を示す分解斜視図である。
【図４】同上の内ハウジングと外ボディとを示す斜視図である。
【図５】同上を示す断面図である。
【図６】同上を示す取付部材を含む斜視図である。
【図７】同上を示す回路図である。
【図８】同上の別の形態を示す図であり、（ａ）は斜視図、（ｂ）は分解斜視図である。
【図９】（ａ）は同上の内部を示す図であり、（ｂ）は同上の更に別の形態の内部を示す図である。
【図１０】同上の更に別の形態を示す図であり、（ａ）は平面図、（ｂ）は左側面図、（ｃ）は右側面図、（ｄ）は正面図である。
【図１１】従来例を示す斜視図である。
【符号の説明】
【００３１】
１  ハウジング
２  接地線接続端子
３  内ハウジング
４  外ハウジング
５  刃受け部
６  取付部材
８  保護カバー
１１  栓刃挿入口
１３  凹部
４３  台座部
６３  結合凸部
Ｃ  電源線
Ｐ  プリント配線板
Ｚ１，Ｚ２  サージアブソーバ
【図１】
2005100857.tif 000003
【図２】
2005100857.tif 000004
【図３】
2005100857.tif 000005
【図４】
2005100857.tif 000006
【図５】
2005100857.tif 000007
【図６】
2005100857.tif 000008
【図７】
2005100857.tif 000009
【図８】
2005100857.tif 000010
【図９】
2005100857.tif 000011
【図１０】
2005100857.tif 000012
【図１１】
2005100857.tif 000013